(57)【要約】【課題】取付け対象への容易かつ多様な着脱を実現することが可能であるとともに、取付け対象への取付け後、風等の外力による取付け対象からの逸脱・破損を防止することが可能な害虫捕獲用粘着シートを提供する。【解決手段】シート状の基材層１と、基材層１上に形成された粘着剤層２と、外部の取付け対象に、着脱されるための着脱部３と、を備えた害虫捕獲用粘着シート１０において、着脱部３を、シート状の基材層１の上辺の中央部において、上端から下方に向かってその全長の５〜１５％に対応する位置まで、互いに対向して係合し合う１対以上の凹凸部形状となるように切り込まれた切込み線３１と、切込み線３１の下端に連通して形成された第１の保持孔３２とから構成する。【選択図】図１
2014113099.tif 000002
【特許請求の範囲】
【請求項１】
シート状の基材層と、
前記基材層上に形成された粘着剤層と、
外部の取付け対象に着脱されるための着脱部と、を備えた害虫捕獲用粘着シートであって、
前記着脱部は、前記シート状の基材層の上辺の中央部において、上端から下方に向かってその全長の５〜１５％に対応する位置まで、互いに対向して係合し合う１対以上の凹凸部形状となるように切り込まれた切込み線と、前記切込み線の下端に連通して形成された第１の保持孔と、を備えてなる害虫捕獲用粘着シート。
【請求項２】
前記着脱部は、前記第１の保持孔に加えて、前記第１の保持孔と略水平方向に互いに隣接して連通する第２の保持孔をさらに備えてなる請求項１に記載の害虫捕獲用粘着シート。
【請求項３】
前記第１及び第２の保持孔は、３〜１０ｍｍの孔径を有する請求項１又は２に記載の害虫捕獲用粘着シート。
【請求項４】
前記基材層は、その１以上の隅部、及び前記隅部の間に、補助保持孔を備えてなる請求項１〜３のいずれかに記載の害虫捕獲用粘着シート。
【請求項５】
前記補助保持孔は、完全に該当部分が抜け落ちた孔ではなく、外形の一部を残して該当部分が繋がった、繋ぎ部を有する孔である請求項１〜４のいずれかに記載の害虫捕獲用粘着シート。
【請求項６】
前記外部の取付け対象は、紐若しくはワイヤー、支柱又は植物の枝・茎である請求項１〜５のいずれかに記載の害虫捕獲用粘着シート。
【発明の詳細な説明】
【技術分野】
【０００１】
本発明は、害虫捕獲用粘着シートに関する。さらに詳しくは、害虫（例えば、トマト、ナス、キューリ、メロン等に被害を与えるタバココナジラミ、オンシツコナジラミ、シルバーリーフコナジラミ、ミナミキイロアザミウマ、ネギアザミウマ等）を捕獲する必要のある、例えば、ハウス・温室、工場等の園芸施設、家庭菜園、ベランダ菜園等において好適に用いられる、取付け対象への容易かつ多様な着脱を実現することが可能であるとともに、取付け対象への取付け後、風等の外力による取付け対象からの逸脱、破断を防止することが可能な害虫捕獲用粘着シートに関する。
【背景技術】
【０００２】
このような害虫捕獲用粘着シートとして、基材本体に形成された第一の貫通孔と第二の貫通孔と、これらを連通する切れ目によって切り離して形成される舌片部とを有し、舌片部は、第一の貫通孔と第二の貫通孔との間の部位の少なくとも一部を介して、基材本体の他部と接続されている接続領域部と、接続領域部のうちの第一の貫通孔近傍の部位から、第一の貫通孔から第二の貫通孔に向かう方向と逆の方向および接続部位からみて接続領域部とは逆の方向に飛び出して形成される飛び出し領域部と、を含む飛翔害虫捕殺具（害虫捕獲用粘着シート）が提案されている（例えば、特許文献１参照）。
【先行技術文献】
【特許文献】
【０００３】
【特許文献１】特開２００９−２５４２８２号公報
【発明の概要】
【発明が解決しようとする課題】
【０００４】
しかしながら、特許文献１に記載された飛翔害虫捕殺具シートは、舌片部を形成する切れ目の形状が緩やかな円弧状であり、このような形状の舌片部と基材本体との間に、紐やワイヤー等の取付け対象を挟持するようにして飛翔害虫捕殺具シートを取付けた（吊り下げた）場合、風等の外力によって切れ目は元の（舌片部の形成前の）位置に何らの抵抗なしに復旧（戻って）してしまうため、取付け対象から外れ易く、また、貫通孔と切れ目との接続部で破断し易く、さらに、取付け対象が上述の第一の貫通孔と第二の貫通孔とを用いたものに限定されるため、遣い勝手が悪いこと等から、必ずしも十分に満足し得るものではなかった。
【課題を解決するための手段】
【０００５】
上記目的を達成するため、本発明によれば、以下の害虫捕獲用粘着シートが提供される。
【０００６】
［１］シート状の基材層と、前記基材層上に形成された粘着剤層と、外部の取付け対象に着脱されるための着脱部と、を備えた害虫捕獲用粘着シートであって、前記着脱部は、前記シート状の基材層の上辺の中央部において、上端から下方に向かってその全長の５〜１５％に対応する位置まで、互いに対向して係合し合う１対以上の凹凸部形状となるように切り込まれた切込み線と、前記切込み線の下端に連通して形成された第１の保持孔と、を備えてなる害虫捕獲用粘着シート。
【０００７】
［２］前記着脱部は、前記第１の保持孔に加えて、前記第１の保持孔と略水平方向に互いに隣接して連通する第２の保持孔をさらに備えてなる前記［１］に記載の害虫捕獲用粘着シート。
【０００８】
［３］前記第１及び第２の保持孔は、３〜１０ｍｍの孔径を有する前記［１］又は［２］に記載の害虫捕獲用粘着シート。
【０００９】
［４］前記基材層は、その１以上の隅部、及び前記隅部の間に、補助保持孔を備えてなる前記［１］〜［３］のいずれかに記載の害虫捕獲用粘着シート。
【００１０】
［５］前記補助保持孔は、完全に該当部分が抜け落ちた孔ではなく、外形の一部を残して該当部分が繋がった、繋ぎ部を有する孔である前記［１］〜［４］のいずれかに記載の害虫捕獲用粘着シート。
【００１１】
［６］前記外部の取付け対象は、紐若しくはワイヤー、支柱又は植物の枝・茎である前記［１］〜［５］のいずれかに記載の害虫捕獲用粘着シート。
【発明の効果】
【００１２】
本発明によれば、取付け対象への容易かつ多様な着脱を実現することが可能であるとともに、取付け対象への取付け後、風等の外力による取付け対象からの逸脱、破断を防止することが可能な害虫捕獲用粘着シートを提供することができる。
【図面の簡単な説明】
【００１３】
【図１】本発明の実施の形態に係る害虫捕獲用粘着シートを、第１の保持孔を介して、空中に張架されたワイヤーに、縦長状態で懸架した場合を模式的に示す斜視図である。
【図２】本発明の実施の形態に係る害虫捕獲用粘着シートを、第１の保持孔を介して、空中から垂下された紐に、縦長状態で取り付けた場合を模式的に示す斜視図である。
【図３】本発明の実施の形態に係る害虫捕獲用粘着シートを、第２の保持孔を介して、空中に張架されたワイヤーに、縦長状態で懸架した場合を模式的に示す正面図である。
【図４】本発明の実施の形態に係る害虫捕獲用粘着シートを、長手方向の２つの補助保持孔を介して、地中に埋設された支柱に、縦長状態で取り付けた場合を模式的に示す正面図である。
【図５】本発明の実施の形態に係る害虫捕獲用粘着シートを、短手方向の２つの補助保持孔を介して、地中に埋設された支柱に、横長状態で取り付けた場合を模式的に示す正面図である。
【図６】本発明の実施の形態に係る害虫捕獲用粘着シートを、第１の保持孔及び１つの補助保持孔を介して、地中に埋設された支柱に、縦長状態で取り付けた場合を模式的に示す正面図である。
【図７】本発明の実施の形態に係る害虫捕獲用粘着シートを、長手方向の２つの補助保持孔を介して、空中に張架されたワイヤーに、横長状態で取り付けた場合を模式的に示す正面図である。
【発明を実施するための形態】
【００１４】
［実施の形態に係る害虫捕獲用粘着シート］
図１及び図２に示すように、本発明の実施の形態に係る害虫捕獲用粘着シートは、シート状の基材層１と、基材層１上に形成された粘着剤層２と、外部の取付け対象に着脱されるための着脱部３と、を備えた害虫捕獲用粘着シート１０であって、着脱部３は、シート状の基材層１の上辺の中央部において、上端から下方に向かってその全長の５〜１５％に対応する位置まで、互いに対向して係合し合う１対以上の凹凸部形状となるように切り込まれた切込み線３１と、切込み線３１の下端に連通して形成された第１の保持孔３２と、を備えて構成されている。
【００１５】
なお、図１は、空中に張架されたワイヤー６１に、第１の保持孔３２を介して、縦長状態で懸架した場合を示し、図２は、第１の保持孔３２を介して、栽培植物の枝・茎等を経由して空中から垂下された紐６２に、縦長状態で取り付けた場合を示す。
【００１６】
上述のように、本実施の形態の着脱部３は、切込み線３１を利用して、取付け対象、例えば、紐６２若しくはワイヤー６１、支柱６３又は植物の枝・茎（図示せず）への容易な着脱を実現することが可能であるとともに、切込み線３１が、互いに対向して係合し合う１対以上の凹凸部形状となるように切り込まれた形状を有するとともに、第１の保持孔３２が、例えば、外力を均等に分散保持する円形を有することから、取付け対象への第１の保持孔３２または５補助孔を介しての取付け後、風等の外力による取付け対象からの逸脱・破損を防止することが可能である。
【００１７】
図１において、着脱部３の切込み線３１は、１対の凹凸部形状が対向して係合し合う形状を示すが、２対以上であってもよい。基本的に凹凸部が増加すれば、逸脱は、より確実に防止されることになる。
【００１８】
図３に示すように、着脱部は、第１の保持孔３１に加えて、第１の保持孔３１と略水平方向に互いに隣接して、連通する第２の保持孔３３をさらに備えてなるように構成されてもよい。第２の保持孔３３は、基本的に第１の保持孔３１と同様の構成とすることができる。第２の保持孔３３を設けることによって、取付け対象への取付け後、風等の外力による取付け対象からの逸脱を、さらに確実に防止することが可能である。
【００１９】
第１及び第２の保持孔３１、３３は、３〜１０ｍｍの孔径を有することが好ましい。このように構成することによって、この孔径よりも若干小さな断面直径を有する取付け対象を、容易かつ確実に保持することができる。
【００２０】
基材層１は、その１以上の隅部、及び隅部の間に、補助保持孔４、５を備えてなることが好ましい。なお、図１等において、隅部に形成された補助保持孔を補助保持孔４、隅部の間に形成された補助保持孔を補助保持孔５として示す。このように構成することによって、例えば、図４〜図７に示すように、種々の取付け対象への容易かつ多様な着脱を実現することが可能である。
【００２１】
なお、図４〜図６は、地中に埋設した支柱６３に取り付けた場合を示し、図７は、空中に張架されたワイヤー６１に取り付けた場合を示す。また、別の観点から、図４、図５及び図７は、隅部に設けた２つの補助保持孔４を利用した場合を示し、図６は、第１の保持孔３１及び隅部の間に設けた１つの補助保持孔５を利用した場合を示している。なお、図５においては、第１の保持孔３２が設けられていない側の隅部に設けた２つの補助保持孔４を利用した場合を示すが、第１の保持孔３２が設けられた側の隅部に設けた２つの補助保持孔４を利用してもよい。
【００２２】
補助保持孔４、５は、完全に該当部分が抜け落ちた孔ではなく、外形の一部を残して該当部分が繋がった、繋ぎ部を有する孔であることが、製造技術上の観点、具体的には、ごみ収集の手間をなくすとともに、ごみの介在による不都合の発生防止等の観点から、好ましい。
【００２３】
上述のように、外部の取付け対象は、紐若しくはワイヤー、植物の枝・茎又は支柱を典型例として挙げることができるが、これらに制限されるものではない。
【００２４】
図１に示すように、本実施の形態の害虫捕獲用粘着シート１０は、短冊形状を有し、また、害虫捕獲用粘着シート１０を構成する基材層１は、通常０．０３ｍｍ〜０．５ｍｍ、好ましくは０．０７ｍｍ〜０．４ｍｍの厚さを有し、さらに基材層１上に設けられる粘着剤層２は、通常０．０３ｍｍ〜０．１ｍｍ、好ましくは０．０４ｍｍ〜０．０７ｍｍの厚さを有することが好ましい。
【００２５】
なお、上述の基本的構成に加えて、害虫の捕獲性を向上させるため、基材層１は、１ｍｍ〜７ｍｍ、好ましくは３ｍｍ〜５ｍｍの間隔、１ｍｍ〜７ｍｍ、好ましくは３ｍｍ〜５ｍｍの最大長さ、０．１ｍｍ〜３．０ｍｍ、好ましくは０．５ｍｍ〜２．０ｍｍの高さ、及び１．０ｍｍ２〜３６ｍｍ２、好ましくは４ｍｍ２〜２５ｍｍ２の凸面面積の凸部を持った、光の明暗によるコントラスト効果を発現し得る凹凸構造（図示せず）を有するものであってもよい。
【００２６】
また、粘着剤層２との間に、さらに、０．００５ｍｍ〜０．０２ｍｍ、好ましくは、０．００８ｍｍ〜０．０１５ｍｍの厚さ及び昆虫を誘引する誘引色を有するともに、凹凸構造を有する着色層（図示せず）と、０．００５ｍｍ〜０．０２ｍｍ、好ましくは、０．００６ｍｍ〜０．０１５ｍｍの厚さ及び耐水性を有するともに、凹凸構造を有する保護層（図示せず）とを備えたものであってもよい。
【００２７】
また、基材層１の両面にそれぞれ、着色層、保護層及び粘着剤層２をこの順に備えてもよく、基材層１の片面に、着色層、保護層及び粘着剤層２をこの順に備えたものであってもよい。
【００２８】
本発明に用いられる基材層１は、弾力性や可撓性を有するとともに、雨露に晒されることが多いことから防水性や耐候性を有し、一般ゴミとして廃棄可能で、粘着剤層２等を確実に保持することが可能な材料から構成することが好ましい。例えば、合成紙、紙から構成されてなるものが廃棄時の環境負荷が小さいことから好ましい。具体的には、ミルクカ−トン紙、コートボール紙、両面ＰＥ（ポリエチレン）フィルムラミネート紙等を挙げることができる。また、ポリエステル、ポエチレン、ポリスチロ−ル及びポリウレタンからなる群から選ばれる少なくとも一種の合成樹脂、金属箔、又は不織布であってもよい。
【００２９】
粘着面層２に用いられる粘着剤としては、害虫を確実に捕捉するとともに、高温時のフローによるタレを防止し、また積層品における剥離力を軽減化するものであれば特に制限はないが、例えば、耐水性を有して乾燥すれば粘着力が回復するもので、かつ誘引色を遮蔽することのない透明なものであることが好ましい。その凝集力としては、害虫の確実な捕捉、タレの防止、また剥離力の軽減化等の観点から、例えば、粘度として１０２Ｐａ・ｓ〜２×１０６Ｐａ・ｓが好ましい。具体的には、アクリル系、ゴム系及びシリコン系からなる群から選ばれる少なくとも一種の透明粘着剤を好適例として挙げることができる。後述するファイバー塗工する場合に好適なホットメルト型の粘着剤であってもよい。なお、粘着剤層は、基材層１の全体を被覆したものであってもよく、少なくとも一部を被覆するものであってもよい。
【００３０】
また、本実施の形態において、必要に応じて用いられる着色層は、害虫に固有の誘引色に着色されてなるものであることが好ましい。誘引色としては、例えば、黄色、青色又は桃色を好適例として挙げることができる。黄色、青色又は桃色の誘引色は、マンセル表色値を用いた反射色で、黄色は、色相：４Ｙ、明度：７、彩度：１４、また、青色は、色相：３．０ＰＢ、明度：５．４、彩度：１０．６、また、桃色は、色相：５Ｒ、明度：６．５、彩度：８の範囲のものであることが特に好ましい。この場合、誘引色は、基材層１１に、黄色、青色又は桃色の顔料を印刷で塗膜層として形成してもよく、黄色、青色又は桃色の顔料を基材層１に練り込んで形成してもよい。
【００３１】
害虫の誘引性を高めるため、誘引色の上にさらに紫外線反射層及び／又は紫外線吸収層を配設してもよい。紫外線反射層としては、例えば、酸化亜鉛、酸化カルシウム、酸化チタン、酸化鉛、蛍光顔料及びアルミニウム粉体からなる群から選ばれる少なくとも一種を含有してなるものを好適例として挙げることができる。また、紫外線吸収層としては、例えば、サルチル酸系、ベンゾフェノン系及びベンゾトリアゾ−ル系からなる群から選ばれる少なくとも一種の紫外線吸収剤を含有してなるものを好適例として挙げることができる。
【００３２】
本実施の形態において、必要に応じて用いられる保護層の形成は、薄手の紙からなる基材層１の両面（通常、基材層１の両面には着色層が形成されているのでその場合は着色層のそれぞれの面）を保護するため、例えば、ポリエチレンフィルムでラミネートすることが好ましい。
【００３３】
［害虫捕獲用粘着シートの製造方法］
本実施の形態の害虫捕獲用粘着シートの製造方法は、例えば、０．０３ｍｍ〜０．５ｍｍの厚さを有する基材層１（凹凸構造を有するものであってもよい）の表面の片面又は両面に、粘着剤を０．０３ｍｍ〜０．１ｍｍの厚さに塗布して粘着剤層２を形成し、さらに、着脱部３（切込み３１、第１の保持孔３２，第２の保持孔３３）及び補助保持孔４、５を形成することを基本的構成として含む。
【００３４】
着脱部３及び補助保持孔４、５の形成及びその後の作業としては、例えば、凹凸構造形成のためのエンボス加工を施した基材層１に、粘着剤層２の形成をし、さらに必要に応じて、剥離材として剥離紙をラミネートした後に、打ち抜き及びシートカット加工することを挙げることができる。具体的には、ロータリー式打ち抜き機（連続回転式打ち抜き機）又はプレス機を用いて、着脱部３及び補助保持孔４、５を加工形成するとともに、外形形状をシート状（例えば、短冊形状）に加工して害虫捕獲用粘着シートとすることを挙げることができる。この場合、着脱部３と補助保持孔４、５とは同時に加工形成することが好ましい。また、定型幅に切断するために、例えば、第１の保持孔３２を光センサーで読み取り、定型幅を制御することが好ましい。この場合、読み取り対象となる第１の保持孔３２は、繋ぎ部を有する孔ではなく、完全に該当部分が抜け落ちた孔であることが、作業上好ましい。
【００３５】
なお、基材層１をエンボス加工した後に粘着剤層２を形成することに代えて、エンボス加工前の基材層１の表面の片面又は両面上に、０．００５ｍｍ〜０．０２ｍｍの厚さ及び昆虫誘引性の色彩を有する着色層、並びに／又は０．００５ｍｍ〜０．０２ｍｍの厚さ及び耐水性を有する保護層を積層して、基材層１並びに着色層及び／又は保護層を有する積層体を形成し、この積層体を、１ｍｍ〜７ｍｍの間隔、１ｍｍ〜７ｍｍの最大長さ、０．１ｍｍ〜３．０ｍｍの高さ及び１．０ｍｍ２〜３６ｍｍ２の凸面面積の凸部を持った、光の明暗によるコントラスト効果を発現し得る凹凸構造を有する形状となるようにエンボス加工をし、エンボス加工をした積層体の表面の片面又は両面上に、粘着剤を０．０３ｍｍ〜０．１ｍｍの厚さに塗布して粘着剤層２を形成し、粘着剤層２の粘着剤上に剥離材（図示せず）を貼り合せた後、着脱部３を形成することによって、害虫捕獲用粘着シート１０を得てもよい。このようにして得られた害虫捕獲用粘着シート１０は、粘着剤層２の上に剥離材が形成されて粘着面が保護されている。
【００３６】
本実施の形態においては、基材層、着色層、保護層及び粘着剤層としては、既述のものを用いることができ、それぞれの積層、形成方法も、汎用の方法を用いることができる。また、剥離材としても、剥離紙等の汎用されているものを用いることができる。
【実施例】
【００３７】
以下に、本発明の害虫捕獲用粘着シートを、実施例を用いてさらに具体的に説明する。なお、本発明は、以下の実施例によって、いかなる制限を受けるものではない。
【００３８】
（実施例１）
以下のようにして実施例１の害虫捕獲用粘着シートを作製した。すなわち、基材層としての厚さが０．３２ｍｍの厚手の紙（王子製紙社製：Ｎｅｗピジョン）の表裏面に、着色層として誘引色の黄色塗料（大日本インキ社製：ＸＯＳ−１２００）を１０μｍの厚さに印刷、形成し、次いで、この着色層を形成した基材層に、加熱装置付きエンボスロール（サイトウエンヂニアース社製：エンボスター４５０）を用いて、１２０〜１３０℃の温度で８ｍ／分のスピードでエンボス加工をして、間隔×最大長さ×高さが、４ｍｍ×４ｍｍ×１．２ｍｍで、凸面の面積が、１６ｍｍ２の凹凸構造を有するシートを作製した。
【００３９】
次いで、粘着剤（ホットメルト粘着剤：新日本石油社製：エバータックＳＡ−４００Ｅ）をホットメルト塗工機（サンツール社製）で５０μｍの厚さに塗布した。この場合、基材層に、粘着剤を、予めその粘度を１４０℃付近で、５００ｍｐａｓ〜６００ｍＰａｓに調整し、塗布量を調節しながら、ファイバー状にして直接塗工して粘着層を形成させた。その後、粘着層の表面に剥離紙（サンツール社製）を貼着した。
【００４０】
その後、ロータリー式打ち抜き機（連続回転式打ち抜き機）（望月製作所社製）を用いて、第１の保持孔を光センサーで読み取り、定型幅を制御しながら、図１に示す形状を有する着脱部（互いに対向して係合し合う１対の凹凸部形状を有する切込み線及び上辺から２５ｍｍの位置（全長の１０％に相当する位置）に形成された直径が８ｍｍの第１の保持孔を有する着脱部）及び５個の補助保持孔を加工形成するとともに、外形形状を１００ｍｍ×２５０ｍｍの短冊形状に加工して、実施例１に係る害虫捕獲用粘着シートを２０枚作製した。これらの害虫捕獲用粘着シートについて、下記の逸脱試験を実施した。結果を表１に示す。
【００４１】
（実施例２）
実施例２の害虫捕獲用粘着シートとして、図３に示す形状を有する着脱部（切込み線及び第１の保持孔に加えて直径が８ｍｍの第２の保持孔を有する着脱部）としたこと以外は、実施例１の場合と同様にして、粘着シートを２０枚作製した。
【００４２】
（比較例１）
また、比較例１の害虫捕獲用粘着シートとして、着脱部の切込み線を、互いに対向して係合し合う１対以上の凹凸部形状ではなく、直線形状とし、第１の保持孔を設けなかったこと以外は、実施例１の場合と同様にして、粘着シートを２０枚作製した。この害虫捕獲用粘着シートに、実施例１と同様の逸脱試験を実施した。結果を表１に示す。
【００４３】
（逸脱試験）
大協技研工業株式会社の事業所の３階建ての屋上に、直径が約３ｍｍの細紐を高さが１．５ｍとなるように張架し、実施例１〜２及び比較例１の害虫捕獲用粘着シートをそれぞれこの順に１枚ずつ１０ｃｍ間隔で並べて１セットとしてそれぞれの着脱部によって張架した細紐に取り付け、さらに、残りの１９セットを同様に取り付けた（最終的に８０枚の害虫捕獲用粘着シートを等間隔で細紐に取付けた）。この状態で７日間放置して、７日後に、観察した。なお、この期間の風速は、１〜７ｍ／秒であった。
【００４４】
【表１】
2014113099.tif 000003
【符号の説明】
【００４５】
１    基材層
２    粘着剤層
３    着脱部
４    補助保持孔（隅部に形成）
５    補助保持孔（隅部の間に形成）
１０  害虫捕獲用粘着シート
３１  切込み線
３２  第１の保持孔
３３  第２の保持孔
６１    ワイヤー
６２    紐
６３    支柱
【図１】
2014113099.tif 000004
【図２】
2014113099.tif 000005
【図３】
2014113099.tif 000006
【図４】
2014113099.tif 000007
【図５】
2014113099.tif 000008
【図６】
2014113099.tif 000009
【図７】
2014113099.tif 000010